(57)【要約】【課題】指紋認証機能とスクロール機能とを極めて簡単に切り替えることができる電子機器を提供する。【解決手段】センサ１７は、例えば回転に基づき、ハウジング１２上の第１位置、および、ハウジング１２上で第１位置と異なる第２位置の間で移動自在にハウジングに組み込まれる、こうしたセンサ１７の位置は検知機構の働きで検知される。制御回路は、センサ１７の位置に応じて指紋認証機能およびスクロール機能を切り替える。したがって、電子機器１１のユーザは、指紋認証機能およびスクロール機能の切り替えにあたってセンサ１７の位置を動かせば足りる。指紋認証機能およびスクロール機能は極めて簡単に切り替えられる。【選択図】図１
2010026861.tif 000002
【特許請求の範囲】
【請求項１】
ハウジングと、
前記ハウジングに組み込まれて、画像を表示する表示画面を区画する表示装置と、
前記ハウジング上の第１位置、および、前記ハウジング上で当該第１位置と異なる第２位置の間で移動自在に前記ハウジングに組み込まれて、前記表示画面の画像をスクロールさせるスクロール機能、および、指紋を認証する指紋認証機能を実行するセンサと、
前記第１位置の前記センサおよび前記第２位置の前記センサを検知する検知機構と、
前記検知機構からの出力に基づき前記スクロール機能および前記指紋認証機能を切り替える制御回路とを備えることを特徴とする電子機器。
【請求項２】
請求項１に記載の電子機器において、前記第１位置および前記第２位置は前記センサの回転に基づき実現されることを特徴とする電子機器。
【請求項３】
請求項２に記載の電子機器において、
前記ハウジングは、
前記センサを収容する第１筐体と、
前記第１筐体の表面に平行な水平軸回りで相対回転自在に前記第１筐体に連結されて表面で前記表示装置の前記表示画面を配置し、前記水平軸回りの相対回転に基づき前記第１筐体の表面に表面を重ね合わせる閉じ状態を確立する第２筐体とを備え、
前記第１位置は前記第１筐体の表面に規定され、前記第２位置は前記第１筐体の表面から外側に規定されることを特徴とする電子機器。
【請求項４】
請求項１に記載の電子機器において、前記第１位置および前記第２位置は前記センサのスライド移動に基づき実現されることを特徴とする電子機器。
【請求項５】
請求項４に記載の電子機器において、
前記ハウジングは、
前記センサを収容する第１筐体と、
前記第１筐体の表面に平行な水平軸回りで相対回転自在に前記第１筐体に連結されて表面で前記表示装置の前記表示画面を配置する第２筐体とを備え、
前記第１位置および前記第２位置は前記第１筐体の表面に規定されることを特徴とする電子機器。
【発明の詳細な説明】
【技術分野】
【０００１】
本発明は、例えば指紋センサを備える電子機器に関する。
【背景技術】
【０００２】
例えばノートブックパーソナルコンピュータ（ノートパソコン）には例えばスライド式の指紋センサが組み込まれる。ユーザが指で一方向に指紋センサをなぞると、指紋センサはユーザの指紋を読み取る指紋認証機能を実行する。同時に、こうした指紋センサは例えばディスプレイの表示画像をスクロールさせるスクロール機能の実行にあたって利用される。ユーザが指紋センサを指でなぞると、なぞった方向に応じて表示画像がディスプレイの表示画面上でスクロールする。
【特許文献１】特開２００６−２４２０９号公報
【特許文献２】特開２００６−７９５０２号公報
【特許文献３】特開２００１−２６６１０８号公報
【発明の開示】
【発明が解決しようとする課題】
【０００３】
これまでのノートパソコンでは指紋認証機能とスクロール機能との切り替えにあたってソフトウェアが用いられる。その結果、例えばディスプレイの表示画面に指紋認証画面が表示される場合、ユーザは表示画像のスクロール機能を使用することができない。したがって、ユーザは例えばマウスやタッチパッド、キーボードといった入力装置を用いて指紋認証機能とスクロール機能とを切り替えなければならない。切り替えにあたって手間がかかる。
【０００４】
本発明は、上記実状に鑑みてなされたもので、指紋認証機能とスクロール機能とを極めて簡単に切り替えることができる電子機器を提供することを目的とする。
【課題を解決するための手段】
【０００５】
上記目的を達成するために、電子機器は、ハウジングと、前記ハウジングに組み込まれて、画像を表示する表示画面を区画する表示装置と、前記ハウジング上の第１位置、および、前記ハウジング上で当該第１位置と異なる第２位置の間で移動自在に前記ハウジングに組み込まれて、前記表示画面の画像をスクロールさせるスクロール機能、および、指紋を認証する指紋認証機能を実行するセンサと、前記第１位置の前記センサおよび前記第２位置の前記センサを検知する検知機構と、前記検知機構からの出力に基づき前記スクロール機能および前記指紋認証機能を切り替える制御回路とを備えることを特徴とする。
【０００６】
こうした電子機器では、センサは第１位置および第２位置の間で移動する。センサの位置は検知機構の働きで検知される。制御回路は、センサの位置に応じて指紋認証機能およびスクロール機能を切り替える。したがって、電子機器のユーザは、指紋認証機能およびスクロール機能の切り替えにあたってセンサの位置を動かせば足りる。指紋認証機能およびスクロール機能は極めて簡単に切り替えられる。
【発明の効果】
【０００７】
以上のように、電子機器は、指紋認証機能とスクロール機能とを極めて簡単に切り替えることができる。
【発明を実施するための最良の形態】
【０００８】
以下、添付図面を参照しつつ本発明の一実施形態を説明する。
【０００９】
図１は本発明の第１実施形態に係る電子機器すなわちノートブックパーソナルコンピュータ（以下「ノートパソコン」）１１の外観を概略的に示す。このノートパソコン１１は、薄型の第１筐体すなわち本体筐体１２と、本体筐体１２に連結される薄型の第２筐体すなわちディスプレイ用筐体１３とを備える。本体筐体１２やディスプレイ用筐体１３は例えばポリカーボネートといった強化樹脂材料から形成される。本体筐体１２およびディスプレイ用筐体１３は本発明のハウジングを構成する。
【００１０】
本体筐体１２は例えば平たい直方体の輪郭を有する。この本体筐体１２の収容空間には例えばマザーボードが組み込まれる。後述されるように、マザーボード上には例えばＣＰＵ（中央演算処理装置）やチップセット、メモリといった電子回路素子が搭載される。ＣＰＵは、例えばメモリに一時的に格納されるソフトウェアプログラムやデータに基づき様々な演算処理を実行する。ソフトウェアプログラムやデータは、同様に本体筐体１２内に収容されるハードディスク駆動装置（ＨＤＤ）といった大容量記憶装置に格納されればよい。
【００１１】
本体筐体１２の表面すなわち表側平坦面１２ａにはキーボード１４や入力ボタン１５といった入力装置が組み込まれる。こういった入力装置１４、１５の働きで、ノートパソコン１１のユーザはＣＰＵに向けて様々な指令やデータを入力することができる。表側平坦面１２ａの外側には本体筐体１２の側面すなわち前面１２ｂが規定される。表側平坦面１２ａおよび前面１２ｂは前側の稜線１２ｃで接続される。本体筐体１２の前端には切り欠き１６が形成される。切り欠き１６は稜線１２ｃに沿って延びる。切り欠き１６内には指紋センサ１７が収容される。指紋センサ１７の詳細は後述される。
【００１２】
ディスプレイ用筐体１３は例えば平たい直方体の輪郭を有する。ディスプレイ用筐体１３には表示装置すなわちＬＣＤ（液晶ディスプレイ）パネル１８が組み込まれる。ＬＣＤパネル１８の表示画面は、ディスプレイ用筐体１３の表面すなわち表側平坦面１３ａに区画される窓孔１９に臨む。ＬＣＤパネル１８の表示画面にはＣＰＵの演算処理に基づきテキストやグラフィックスが表示される。ユーザはそういったテキストやグラフィックスに基づきノートパソコン１１の動作を確認することができる。
【００１３】
本体筐体１２とディスプレイ用筐体１３とは回転機構２１で相互に連結される。この回転機構２１は、本体筐体１２およびディスプレイ用筐体１３の間で第１軸すなわち水平軸２２回りの回転および第２軸すなわち垂直軸２３回りの回転を実現する。ここでは、水平軸２２は、本体筐体１２の表側平坦面１２ａの後縁に沿って表側平坦面１２ａに平行に規定されればよい。垂直軸２３は、水平軸２２に直交する１平面内で規定される。ここでは、垂直軸２３は表側平坦面１２ａに直交する。
【００１４】
いま、水平軸２２回りの相対回転に基づきディスプレイ用筐体１３の表側平坦面１３ａが本体筐体１２の表側平坦面１２ａに重ね合わせられる場面を想定する。図１に示されるように、ディスプレイ用筐体１３は垂直軸２３回りの相対回転に基づき基準位置に位置決めされる。この基準位置が確立されると、水平軸２２は本体筐体１２の稜線１２ｃに平行に延びる。ディスプレイ用筐体１３は本体筐体１２の後端から所定の角度で立ち上がる。こうしてノートパソコン１１では開き状態が確立される。
【００１５】
この基準位置では、図２に示されるように、ディスプレイ用筐体１３は水平軸２２回りで本体筐体１２に重ね合わせられる。ディスプレイ用筐体１３の第１姿勢は確立される。ディスプレイ用筐体１３の表側平坦面１３ａは本体筐体１２の表側平坦面１２ａに向き合わせられる。ここでは、垂直軸２３回りで基準位置が確立されることから、ディスプレイ用筐体１３の輪郭は本体筐体１２の輪郭に重なる。こうしてノートパソコン１１では第１閉じ状態が確立される。
【００１６】
図３に示されるように、ディスプレイ用筐体１３は例えば１８０度の相対回転角で垂直軸２３回りに本体筐体１２に対して相対回転することができる。こうしてディスプレイ用筐体１３は垂直軸２３回りで基準位置に位置決めされる。この基準位置では、図４に示されるように、ディスプレイ用筐体１３の裏側平坦面は水平軸２２回りで本体筐体１２の表側平坦面１２ａに重ね合わせられる。ディスプレイ用筐体１３の第２姿勢は確立される。ディスプレイ用筐体１３の裏側平坦面は本体筐体１２の表側平坦面１２ａに向き合わせられる。こうしてノートパソコン１１では第２閉じ状態が確立される。
【００１７】
図５に示されるように、指紋センサ１７は例えば円柱状の筐体２５を備える。筐体２５の軸心は本体筐体１２の稜線１２ｃに平行に延びる。筐体２５内には例えばラインセンサ２６が組み込まれる。ラインセンサ２６は、筐体２５の外周面に形成される例えば長方形の窓孔２７に臨む。ラインセンサ２６は本体筐体１２の稜線１２ｃに平行に画素を配列する。ラインセンサ２６には例えば電界型や静電容量型の半導体センサが用いられればよい。ラインセンサ２６は、稜線１２ｃに直交する方向すなわちノートパソコン１１の前後方向に移動する指を走査することができる。
【００１８】
指紋センサ１７は、稜線１２ｃに平行に延びる回転軸２８回りで回転することができる。回転軸２８は筐体２５の軸心に一致する。図５では指紋センサ１７は第１位置に配置される。第１位置では、ラインセンサ２６は表側平坦面１２ａに直交する方向に上向きに配置される。このとき、ラインセンサ２６は例えば表側平坦面１２ａと同一平面内に配置される。回転軸２８回りで指紋センサ１７が例えば９０度の回転角で回転すると、図６に示されるように、指紋センサ１７は第２位置に配置される。第２位置では、ラインセンサ２６は前面１２ｂに直交する方向に横向きに配置される。このとき、ラインセンサ２６は例えば前面１２ｂと同一平面内に配置される。ラインセンサ２６は表側平坦面１２ａの外側に配置される。
【００１９】
指紋センサ１７の回転の実現にあたって、図７に示されるように、筐体２５の両側面には回転軸２８に沿って例えば円柱形の支軸２９が形成される。支軸２９は筐体２５の両側面に一体化されればよい。同様に、筐体２５のいずれか一方の側面にはドーム状の突起３１が形成される。突起３１は導電材料から形成される。図８に示されるように、筐体２５の両側面に向き合わせられる本体筐体１２の表面には円柱形の軸受け孔３２が形成される。支軸２９は軸受け孔３２にそれぞれ支持される。こうして指紋センサ１７は回転軸２８回りに回転することができる。
【００２０】
突起３１は、筐体２５の両側面に向き合わせられる本体筐体１２の表面に形成される案内溝３５に受け入れられる。図９に示されるように、案内溝３５は、回転軸２８を中心に規定される所定の円弧に沿って延びる。案内溝３５の両端には第１窪み３６および第２窪み３７が形成される。案内溝３５は、第１窪み３６および第２窪み３７を接続する接続溝３８を備える。接続溝３８の深さは第１窪み３６および第２窪み３７の深さよりも小さく設定される。こうして第１窪み３６、接続溝３８および第２窪み３７で突起３１の移動経路が規定される。
【００２１】
図１０を併せて参照し、突起３１は電源に接続される。第２窪み３７内には導電端子３９が配置される。導電端子３９はグラウンドに接続される。突起３１が第１窪み３６に配置されると、指紋センサ１７は第１位置に配置される。接続溝３８の深さは第１窪み３６の深さより小さいことから、第１窪み３６から接続溝３８に向かって突起３１の脱落は回避される。その結果、回転軸２８回りで指紋センサ１７の回転は規制される。指紋センサ１７は第１位置で固定される。ラインセンサ２６は表側平坦面１２ａと同一平面内に配置される。第１窪み３６内には導電端子は配置されない。したがって、電源から突起３１に電流は流れない。
【００２２】
回転軸２８回りの回転に基づき突起３１が接続溝３８を介して第２窪み３７に配置されると、図１１に示されるように、指紋センサ１７は第２位置に配置される。接続溝３８の深さは第２窪み３７の深さより小さいことから、第２窪み３７から接続溝３８に向かって突起３１の脱落は回避される。回転軸２８回りで指紋センサ１７の回転は規制される。指紋センサ１７は第２位置で固定される。ラインセンサ２６は前面１２ｂと同一平面内に配置される。このとき、図１２に示されるように、突起３１は導電端子３９に基づきグラウンドに接続される。こうして電源から突起３１に電流が流れる。
【００２３】
図１３はノートパソコン１１の制御系の構成を示すブロック図である。ノートパソコン１１は、マザーボード上に実装される制御回路すなわちチップセット４１を備える。チップセット４１にはＣＰＵ４２が接続される。ＣＰＵ４２は演算処理を実行する。チップセット４１にはメモリ４３やＨＤＤ４４、ＲＯＭ（リードオンリーメモリ）４５といった記憶装置が接続される。メモリ４３には例えばフラッシュメモリが用いられればよい。例えばＨＤＤ４４には指紋センサ１７およびＬＣＤパネル１８の制御用のソフトウェアプログラム４６が格納される。その他、ＨＤＤ４４にはＯＳ（オペレーティングシステム）が格納される。
【００２４】
チップセット４１には指紋センサ１７が接続される。チップセット４１は指紋センサ１７からの出力に基づき指紋センサ１７の位置を監視する。前述のように、指紋センサ１７が第１位置に配置されると、突起３１には電流は流れない。このとき、指紋センサ１７からチップセット４１に「１」が出力される。その一方で、前述のように、指紋センサ１７が第２位置に配置されると、突起３１には電流が流れる。このとき、指紋センサ１７からチップセット４１に「０（ゼロ）」が出力される。こうしてチップセット４１は出力「１」および「０」に基づき指紋センサ１７の位置を検知することができる。
【００２５】
チップセット４１は指紋センサ１７の動作を制御する。指紋センサ１７は指紋認証機能およびスクロール機能を実行する。指紋認証機能の実行時、ラインセンサ２６は例えば毎秒数百フレームの速度で画像を取得する。画像はＣＰＵ４２に出力される。ＣＰＵ４２は、隣接するフレーム同士の間で画像を重ね合わせる。その結果、指紋の全体像のイメージが生成される。ＣＰＵ４２は、生成されたイメージと例えばＨＤＤ４４に予め格納される登録イメージとを照合する。例えば指紋線の端点や分岐点といった指紋の特徴点の位置に基づき指紋の認証が実施される。
【００２６】
その一方で、スクロール機能の実行時、指紋認証機能の実行時と同様に、ラインセンサ２６は例えば毎秒数百フレームの速度で画像を取得する。ＣＰＵ４２は、隣接するフレーム同士の間で画像を重ね合わせる。このとき、画像内で所定の基準点の移動方向および移動量が算出される。算出された移動方向および移動量に応じてチップセット４１はＬＣＤパネル１８の表示画面内で画像をスクロールさせる。なお、画像のスクロール量と基準点の移動量との間には所定の相関関係が設定されればよい。例えば基準点の移動速度に所定の係数が掛けられればよい。
【００２７】
チップセット４１は、指紋センサ１７の第１位置および第２位置と、指紋センサ１７の指紋認証機能およびスクロール機能とを相互にリンクさせる。ここでは、指紋センサ１７が第１位置に配置されると、指紋センサ１７ではスクロール機能が実行される。その一方で、指紋センサ１７が第２位置に配置されると、指紋センサ１７では指紋認証機能が実行される。こうしたリンクは、例えばＢＩＯＳ（基本入出力システム）プログラムに基づき予め設定されればよい。ＢＩＯＳプログラムは例えばＲＯＭ４５に予め格納される。リンクの設定は例えばメモリ４３に格納される。
【００２８】
いま、ノートパソコン１１で開き状態が確立される場面を想定する。開き状態でノートパソコン１１の電源がオンにされると、ＯＳが起動する。ＬＣＤパネル１８の表示画面にはログイン画面が表示される。ログイン画面の表示時、指紋センサ１７は指紋認証機能のみを実行する。ユーザがラインセンサ２６を指でなぞると、チップセット４１は指紋認証を実行する。ＣＰＵ４２には指紋の全体像のイメージが入力される。ＣＰＵ４２の演算処理に基づきユーザの指紋が認証されると、チップセット４１はＬＣＤパネル１８の表示画面にユーザのページを表示する。
【００２９】
その後、チップセット４１は指紋センサ１７の位置を監視する。指紋センサ１７が第１位置に配置されると、チップセット４１は指紋センサ１７にスクロール機能を実行させる。ユーザがラインセンサ２６を指でなぞると、チップセット４１は指の移動方向と指の速度を算出する。こうして指の移動方向に応じて所定の速度で画像はスクロールする。その一方で、ユーザが回転に基づき第２位置に指紋センサ１７を配置すると、チップセット４１は指紋センサ１７に指紋認証機能を実行させる。ユーザがラインセンサ２６を指でなぞると、チップセット４１は指紋の認証を実行する。
【００３０】
次に、ノートパソコン１１で第２閉じ状態が確立される場面を想定する。第２閉じ状態では、図１４に示されるように、指紋センサ１７は第２位置に配置される。前述と同様に、第２位置では指紋センサ１７は指紋認証機能を実行する。ラインセンサ２６は前面１２ｂと同一平面内に配置されることから、ラインセンサ２６はノートパソコン１１の輪郭に臨む。こうしてユーザは指紋センサ１７を指でなぞることができる。本体筐体１２の表側平坦面１２ａがディスプレイ用筐体１３の裏側平坦面で覆われるにも拘わらず、ユーザは指紋認証を実行することができる。
【００３１】
以上のようなノートパソコン１１では、指紋センサ１７は回転軸２８回りの回転に基づき第１位置および第２位置の間で移動する。指紋センサ１７の位置は突起３１に基づきチップセット４１に出力される。チップセット４１は、指紋センサ１７の位置に応じて指紋センサ１７に指紋認証機能およびスクロール機能のいずれかを実行させる。位置の変更にあたって、ユーザは例えば指で指紋センサ１７を回転させれば足りる。したがって、ユーザは指紋認証機能およびスクロール機能を極めて簡単に切り替えることができる。しかも、第２位置では指紋センサ１７はノートパソコン１１の輪郭に臨む。その結果、ノートパソコン１１で第２閉じ状態が確立されても、ユーザは指紋センサ１７を利用することができる。
【００３２】
以上のようなノートパソコン１１では、指紋センサ１７には検知機構として可変抵抗器が取り付けられてもよい。このとき、突起３１は導電材料から形成される必要はない。第２窪み３７には導電端子３９は形成されなくてもよい。その一方で、電源およびグラウンドは可変抵抗器に接続される。可変抵抗器は指紋センサ１７の回転に応じて抵抗値を変化させる。こうした抵抗値の変化に基づき電圧は変化する。例えば所定の基準値以上の電圧が検知されると、チップセット４１には「１」が出力される。その一方で、例えば所定の基準値未満の電圧が検知されると、チップセット４１には「０（ゼロ）」が出力されればよい。こうして可変抵抗器に基づき指紋センサ１７の位置が検出されてもよい。その他、指紋センサ１７の第２位置は、例えば４５度の相対回転角で第１位置から回転した位置に規定されてもよい。
【００３３】
図１５は本発明の第２実施形態に係るノートパソコン１１ａの外観を概略的に示す。このノートパソコン１１ａでは、指紋センサ１７は本体筐体１２の表側平坦面１２ａに組み込まれる。表側平坦面１２ａには例えば直方体形状の窪み５１が形成される。窪み５１内に指紋センサ１７は配置される。ここでは、指紋センサ１７は、窪み５１内で本体筐体１２の稜線１２ｃ側の第１位置に配置される。指紋センサ１７は窪み５１内でスライド移動する。その結果、図１６に示されるように、指紋センサ１７は窪み５１内で本体筐体１２の後縁側の第２位置に配置される。
【００３４】
図１７に示されるように、指紋センサ１７の筐体２５は例えば薄型の半円柱形状を有する。筐体２５の両側面には前述の支軸２９が形成される。支軸２９は平たい直方体形状を有する。支軸２９は、本体筐体１２の稜線１２ｃに平行に延びる同一軸上に配置される。ラインセンサ２６は例えば表側平坦面１２ａと同一平面内に配置される。支軸２９は、筐体２５の両側面にそれぞれ向き合わせられる本体筐体１２の表面に形成される長孔５２に受け入れられる。長孔５２は表側平坦面１２ａに平行に延びる。長孔５２の案内に基づき指紋センサ１７は表側平坦面１２ａに沿ってノートパソコン１１ａの前後方向にスライド移動することができる。
【００３５】
図１８に示されるように、突起３１は筐体２５の底面に形成される。突起３１はドーム状に形成される。その一方で、前述の案内溝３５は窪み５１の底面に形成される。案内溝３５はノートパソコン１１ａの前後方向に延びる。突起３１が第１窪み３６に配置されると、指紋センサ１７は第１位置に配置される。表側平坦面１２ａに平行なスライド移動に基づき突起３１が接続溝３８を介して第２窪み３７に配置されると、図１９に示されるように、指紋センサ１７は第２位置に配置される。突起３１は導電端子３９に基づきグラウンドに接続される。こうして突起３１には電流が流れる。その他、前述のノートパソコン１１と均等な構成や構造には同一の参照符号が付される。
【００３６】
以上のようなノートパソコン１１ａでは、指紋センサ１７は本体筐体１２の表側平坦面１２ａでスライド移動に基づき第１位置および第２位置の間で移動する。チップセット４１は、指紋センサ１７の位置に基づき指紋センサ１７に指紋認証機能およびスクロール機能のいずれかを実行させる。指紋センサ１７の位置の変更にあたって、ユーザは例えば指で指紋センサ１７をスライド移動させれば足りる。したがって、ユーザは指紋認証機能およびスクロール機能を極めて簡単に切り替えることができる。
【００３７】
図２０は本発明の第３実施形態に係るノートパソコン１１ｂの外観を概略的に示す。このノートパソコン１１ｂでは、指紋センサ１７は本体筐体１２の前面１２ｂに組み込まれる。前面１２ｂには本体筐体１２の幅方向に延びる例えば直方体形状の窪み５５が形成される。窪み５５内に指紋センサ１７は配置される。ここでは、指紋センサ１７は、窪み５５内で本体筐体１２に向かって左側寄りの第１位置に配置される。指紋センサ１７は窪み５５内でスライド移動する。その結果、図２１に示されるように、指紋センサ１７は窪み５５内で本体筐体１２に向かって右側寄りの第２位置に配置される。
【００３８】
図２２に示されるように、指紋センサ１７の筐体２５は例えば薄型の半円柱形状を有する。支軸２９は筐体２５の上面および底面に形成される。支軸２９は、本体筐体１２の稜線１２ｃに直交する方向に延びる同一軸上に配置される。ラインセンサ２６は本体筐体１２の前面１２ｂと同一平面内に配置される。支軸２９は、筐体２５の上面および底面にそれぞれ向き合わせられる本体筐体１２の表面に形成される長孔５２に受け入れられる。長孔５２は前面１２ｂに平行に延びる。長孔５２の案内に基づき指紋センサ１７は前面１２ｂに沿ってノートパソコン１１ｂの幅方向にスライド移動する。
【００３９】
図２３に示されるように、突起３１は筐体２５の側面に形成される。突起３１はドーム状に形成される。その一方で、前述の案内溝３５は窪み５５の底面に形成される。案内溝３５はノートパソコン１１ｂの幅方向に延びる。突起３１が第１窪み３６に配置されると、指紋センサ１７は第１位置に配置される。接続溝３８の深さは第１窪み３６の深さより小さいことから、第１窪み３６から接続溝３８に向かって突起３１の脱落は回避される。その結果、指紋センサ１７のスライド移動は規制される。指紋センサ１７は第１位置で固定される。第１位置では電源から突起３１に電流は流れない。
【００４０】
前面１２ｂに平行なスライド移動に基づき突起３１が接続溝３８を介して第２窪み３７に配置されると、図２２に示されるように、指紋センサ１７は第２位置に配置される。接続溝３８の深さは第２窪み３７の深さより小さいことから、第２窪み３７から接続溝３８に向かって突起３１の脱落は回避される。指紋センサ１７のスライド移動は規制される。指紋センサ１７は第２位置で固定される。このとき、突起３１は導電端子３９に基づきグラウンドに接続される。こうして突起３１には電流が流れる。その他、前述のノートパソコン１１、１１ａと均等な構成や構造には同一の参照符号が付される。
【００４１】
以上のようなノートパソコン１１ｂでは、指紋センサ１７は本体筐体１２の前面１２ｂでスライド移動に基づき第１位置および第２位置の間で移動する。チップセット４１は、指紋センサ１７の位置に基づき指紋センサ１７に指紋認証機能およびスクロール機能のいずれかを実行させる。指紋センサ１７の位置の変更にあたって、ユーザは例えば指で指紋センサ１７をスライド移動させれば足りる。したがって、ユーザは指紋認証機能およびスクロール機能を極めて簡単に切り替えることができる。しかも、指紋センサ１７はノートパソコン１１ｂの輪郭に臨む。その結果、ノートパソコン１１ｂで第２閉じ状態が確立されても、ユーザは指紋センサ１７を利用することができる。
【００４２】
（付記１）  ハウジングと、
前記ハウジングに組み込まれて、画像を表示する表示画面を区画する表示装置と、
前記ハウジング上の第１位置、および、前記ハウジング上で当該第１位置と異なる第２位置の間で移動自在に前記ハウジングに組み込まれて、前記表示画面の画像をスクロールさせるスクロール機能、および、指紋を認証する指紋認証機能を実行するセンサと、
前記第１位置の前記センサおよび前記第２位置の前記センサを検知する検知機構と、
前記検知機構からの出力に基づき前記スクロール機能および前記指紋認証機能を切り替える制御回路とを備えることを特徴とする電子機器。
【００４３】
（付記２）  付記１に記載の電子機器において、前記第１位置および前記第２位置は前記センサの回転に基づき実現されることを特徴とする電子機器。
【００４４】
（付記３）  付記２に記載の電子機器において、
前記ハウジングは、
前記センサを収容する第１筐体と、
前記第１筐体の表面に平行な水平軸回りで相対回転自在に前記第１筐体に連結されて表面で前記表示装置の前記表示画面を配置し、前記水平軸回りの相対回転に基づき前記第１筐体の表面に表面を重ね合わせる閉じ状態を確立する第２筐体とを備え、
前記第１位置は前記第１筐体の表面に規定され、前記第２位置は前記第１筐体の表面から外側に規定されることを特徴とする電子機器。
【００４５】
（付記４）  付記３に記載の電子機器において、前記第２位置は前記第１筐体の側面に規定されることを特徴とする電子機器。
【００４６】
（付記５）  付記１に記載の電子機器において、前記第１位置および前記第２位置は前記センサのスライド移動に基づき実現されることを特徴とする電子機器。
【００４７】
（付記６）  付記５に記載の電子機器において、
前記ハウジングは、
前記センサを収容する第１筐体と、
前記第１筐体の表面に平行な水平軸回りで相対回転自在に前記第１筐体に連結されて表面で前記表示装置の前記表示画面を配置する第２筐体とを備え、
前記第１位置および前記第２位置は前記第１筐体の表面に規定されることを特徴とする電子機器。
【００４８】
（付記７）  付記５に記載の電子機器において、
前記ハウジングは、
前記センサを収容する第１筐体と、
前記第１筐体の表面に平行な水平軸回りで相対回転自在に前記第１筐体に連結されて表面で前記表示装置の前記表示画面を配置し、前記水平軸回りの相対回転に基づき前記第１筐体の表面に表面を重ね合わせる閉じ状態を確立する第２筐体とを備え、
前記第１位置および前記第２位置は前記第１筐体の側面に規定されることを特徴とする電子機器。
【００４９】
（付記８）  付記１〜７のいずれかに記載の電子機器において、前記センサはスライド式の指紋センサであることを特徴とする電子機器。
【図面の簡単な説明】
【００５０】
【図１】本発明に係る電子機器の一具体例すなわちノートブックパーソナルコンピュータ（ノートパソコン）の外観を概略的に示す斜視図である。
【図２】本体筐体の表面にディスプレイ用筐体の表面が重ね合わせられる様子を概略的に示す斜視図である。
【図３】ディスプレイ用筐体が１８０度の回転角で垂直軸回りに回転した様子を概略的に示す斜視図である。
【図４】本体筐体の表面にディスプレイ用筐体の裏面が重ね合わせられる様子を概略的に示す斜視図である。
【図５】第１位置に配置される指紋センサの構造を概略的に示す部分拡大斜視図である。
【図６】第２位置に配置される指紋センサの構造を概略的に示す部分拡大斜視図である。
【図７】指紋センサの構造を概略的に示す部分拡大斜視図である。
【図８】第１位置に配置される指紋センサを概略的に示す部分拡大断面図である。
【図９】図８の９−９線に沿った断面図であり、第１位置に配置される指紋センサを概略的に示す。
【図１０】指紋センサが第１位置に配置される場合に突起および案内溝の関係を概略的に示す部分拡大断面図である。
【図１１】図９に対応し、第２位置に配置される指紋センサを概略的に示す。
【図１２】指紋センサが第２位置に配置される場合に突起および案内溝の関係を概略的に示す部分拡大断面図である。
【図１３】ノートパソコンの制御系の構成を概略的に示すブロック図である。
【図１４】第２閉じ状態のノートパソコンを概略的に示す斜視図である。
【図１５】本発明の第２実施形態に係るノートパソコンの外観を概略的に示す斜視図である。
【図１６】本発明の第２実施形態に係るノートパソコンの外観を概略的に示す斜視図である。
【図１７】指紋センサの構造を概略的に示す部分拡大斜視図である。
【図１８】図１７の１８−１８線に沿った断面図であり、第１位置に配置される指紋センサを概略的に示す。
【図１９】図１８に対応し、第２位置に配置される指紋センサを概略的に示す。
【図２０】本発明の第３実施形態に係るノートパソコンの外観を概略的に示す斜視図である。
【図２１】本発明の第３実施形態に係るノートパソコンの外観を概略的に示す斜視図である。
【図２２】指紋センサの構造を概略的に示す部分拡大斜視図である。
【図２３】図２２の２３−２３線に沿った断面図であり、第１位置に配置される指紋センサを概略的に示す。
【図２４】図２３に対応し、第２位置に配置される指紋センサを概略的に示す。
【符号の説明】
【００５１】
１１  電子機器（ノートブックパーソナルコンピュータ）、１２  第１筐体（本体筐体）、１３  第２筐体（ディスプレイ用筐体）、１７  センサ（指紋センサ）、１８  表示装置（液晶ディスプレイパネル）、２２  水平軸、３１  検知機構（突起）、４１  制御回路（チップセット）。
【図１】
2010026861.tif 000003
【図２】
2010026861.tif 000004
【図３】
2010026861.tif 000005
【図４】
2010026861.tif 000006
【図５】
2010026861.tif 000007
【図６】
2010026861.tif 000008
【図７】
2010026861.tif 000009
【図８】
2010026861.tif 000010
【図９】
2010026861.tif 000011
【図１０】
2010026861.tif 000012
【図１１】
2010026861.tif 000013
【図１２】
2010026861.tif 000014
【図１３】
2010026861.tif 000015
【図１４】
2010026861.tif 000016
【図１５】
2010026861.tif 000017
【図１６】
2010026861.tif 000018
【図１７】
2010026861.tif 000019
【図１８】
2010026861.tif 000020
【図１９】
2010026861.tif 000021
【図２０】
2010026861.tif 000022
【図２１】
2010026861.tif 000023
【図２２】
2010026861.tif 000024
【図２３】
2010026861.tif 000025
【図２４】
2010026861.tif 000026